Podtech/llm-jp-corpus-v4-ja_patent huggingface dataset:
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
式(II)
【化１】
2006519815.tif 000001
(式中、R1は、環が任意にC3〜6シクロアルキル基、C1〜4アルキル基、C1〜4アルコキシ基、ベンジル基又はハロゲン原子により置換されていてもよい、ピリジン環又はピリミジン環を表し；R2は水素原子、C1〜6アルキル基又はハロゲン原子を表し；R3はC1〜6アルキル基を表す)の化合物をフッ素ガスと反応させることによる、式(Ｉ)：
【化２】
2006519815.tif 000002
(式中、R1、R2及びR3は上記定義と同じ意味を有する)のピリジニル及びピリミジニル  モノフッ素化βケトエステルの製造方法。
【請求項２】
反応が、ギ酸、トリフルオロ酢酸、硫酸、トリフルオロメタンスルホン酸及びフッ化水素酸から選択される１又はそれ以上の酸の存在下で実施される請求項１に記載の方法。
【請求項３】
反応が溶媒の不在下で実施される請求項１又は２に記載の方法。
【請求項４】
反応が不活性溶媒たるアセトニトリル又はクロロホルムの存在下で実施される請求項１又は２に記載の方法。
【請求項５】
反応が、溶媒の不在下にてフッ化水素酸の存在下で実施される請求項２又は３に記載の方法。
【請求項６】
反応が、化合物(Ｉ)(式中、R1は、環が任意にC1〜2アルキル基により置換されていてもよい、３若しくは４−ピリジニル又は４−若しくは５−ピリミジニルを表し、R2は水素原子又はC1〜3アルキル基を表し、R3はC1〜3アルキル基を表す)のために実施される請求項１〜５のいずれか１項に記載の方法。
【請求項７】
反応が化合物(Ｉ)：エチル２−フルオロ−３−オキソ−３−ピリジン−４−イルプロパノエート又はエチル２−フルオロ−３−オキソ−３−ピリミジン−４−イルプロパノエートのために実施される請求項１〜６のいずれか１項に記載の方法。
【請求項８】
請求項１に規定の式(Ｉ)の化合物(ただし、化合物(Ｉ)はエチル２−フルオロ−３−オキソ−３−ピリジン−４−イルプロパノエートではない)。
【請求項９】
エチル２−フルオロ−３−オキソ−３−ピリミジン−４−イルプロパノエートからなる請求項１に規定の式(Ｉ)の化合物。
【請求項１０】
R1が、環が任意に置換されていてもよいピリミジン環を表す請求項１に規定の式(Ｉ)の化合物。
【手続補正書】
【提出日】平成19年3月1日(2007.3.1)
【手続補正１】
【補正対象書類名】特許請求の範囲
【補正対象項目名】請求項８
【補正方法】変更
【補正の内容】
【請求項８】
GSK3βの異常活性に起因する疾患の予防的および／または治療的処置のための、請求項１〜４のいずれか１つに記載の化合物を含む医薬組成物。
【手続補正２】
【補正対象書類名】特許請求の範囲
【補正対象項目名】請求項９
【補正方法】変更
【補正の内容】
【請求項９】
神経変性疾患の予防的および／または治療的処置のための、請求項１〜４のいずれか１つに記載の化合物を含む医薬組成物。
【手続補正３】
【補正対象書類名】特許請求の範囲
【補正対象項目名】請求項１０
【補正方法】変更
【補正の内容】
【請求項１０】
神経変性疾患がアルツハイマー病、パーキンソン病、タウ病、血管性痴呆、急性脳卒中、外傷性の障害、脳血管障害、脳損傷、脊髄損傷、末梢神経障害、網膜症または緑内障からなる群から選択される、請求項９に記載の医薬組成物。
【手続補正４】
【補正対象書類名】特許請求の範囲
【補正対象項目名】請求項１１
【補正方法】変更
【補正の内容】
【請求項１１】
非インスリン依存性糖尿病、肥満症、躁うつ病、統合失調症、脱毛症または癌の予防的および／または治療的処置のための、請求項１〜４のいずれか１つに記載の化合物を含む医薬組成物。
【手続補正５】
【補正対象書類名】特許請求の範囲
【補正対象項目名】請求項１２
【補正方法】変更
【補正の内容】
【請求項１２】
癌が乳癌、非小細胞肺癌、甲状腺癌、TもしくはB-細胞白血病またはウイルス誘発性腫瘍である、請求項１１に記載の医薬組成物。
【手続補正書】
【提出日】平成19年3月1日(2007.3.1)
【手続補正１】
【補正対象書類名】特許請求の範囲
【補正対象項目名】請求項５
【補正方法】変更
【補正の内容】
【請求項５】
式(III)
【化２】
2006519814.tif 000001
（式中、R1、R3、m、pおよび qは請求項１の式(I)の化合物について定義されたとおりである）
の化合物。
【手続補正２】
【補正対象書類名】特許請求の範囲
【補正対象項目名】請求項８
【補正方法】変更
【補正の内容】
【請求項８】
GSK3βの異常活性に起因する疾患の予防的および／または治療的処置のための、請求項１〜４のいずれか一つに記載の化合物を含む医薬組成物。
【手続補正３】
【補正対象書類名】特許請求の範囲
【補正対象項目名】請求項９
【補正方法】変更
【補正の内容】
【請求項９】
神経変性疾患の予防的および／または治療的処置のための、請求項１〜４のいずれか一つに記載の化合物を含む医薬組成物。
【手続補正４】
【補正対象書類名】特許請求の範囲
【補正対象項目名】請求項１０
【補正方法】変更
【補正の内容】
【請求項１０】
神経変性疾患がアルツハイマー病、パーキンソン病、タウ病、血管性痴呆、急性脳卒中、外傷性の障害、脳血管障害、脳損傷、脊髄損傷、末梢神経障害、網膜症または緑内障からなる群から選択される、請求項９に記載の医薬組成物。
【手続補正５】
【補正対象書類名】特許請求の範囲
【補正対象項目名】請求項１１
【補正方法】変更
【補正の内容】
【請求項１１】
非インスリン依存性糖尿病、肥満症、躁うつ病、統合失調症、脱毛症または癌の予防的および／または治療的処置のための、請求項１〜４のいずれか一つに記載の化合物を含む医薬組成物。
【手続補正６】
【補正対象書類名】特許請求の範囲
【補正対象項目名】請求項１２
【補正方法】変更
【補正の内容】
【請求項１２】
癌が乳癌、非小細胞肺癌、甲状腺癌、TもしくはB-細胞白血病またはウイルス誘発性腫瘍である、請求項１１に記載の医薬組成物。
【手続補正７】
【補正対象書類名】明細書
【補正対象項目名】００３４
【補正方法】変更
【補正の内容】
【００３４】
この方法に従い、上記の式(III)で表されるピリミジンオン誘導体（ここで、R1、R3、m、n、pおよびqは式(I)の化合物について定義したとおりである）は、水素化ナトリウム、炭酸ナトリウムまたは炭酸カリウムのような塩基と、N,N-ジメチルホルムアミド、N-メチルピロリドン、N,N-ジメチルアセトアミドまたはクロロホルムのような溶媒中、0〜130℃の範囲の適切な温度で、大気下で反応させ、次いで式(II)（ここで、R2、X、Yおよびnは式(l)の化合物について定義したとおりであり、Lは脱離基、好ましくは臭素またはメシル基を表す）の化合物と反応させて、前記の式(I)の化合物を得る。
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
４−アミノ−３，５−ジクロロピリジンのアニオン（１）
【化１】
2006519818.tif 000001
［式中、Ａ＋はカチオンである］と、３−シクロプロピルメトキシ−４−ジフルオロメトキシ安息香酸の活性化された誘導体（２）
【化２】
2006519818.tif 000002
［式中、ＬＧは適切な脱離基である］とを反応させることによるロフルミラストの製造方法において、３−シクロプロピルメトキシ−４−ジフルオロメトキシ安息香酸の活性化された誘導体（２）に対する４−アミノ−３，５−ジクロロピリジンの使用されるアニオン（１）のモル比が少なくとも１．５であり、かつ最大で３であることを特徴とする、ロフルミラストの製造方法。
【請求項２】
Ａ＋がアルカリ金属カチオンである、請求項１記載の方法。
【請求項３】
ＬＧが塩素原子、臭素原子または式ＯＣ（Ｏ）−１〜４Ｃ−アルキルの基である、請求項１または２記載の方法。
【請求項４】
３−シクロプロピルメトキシ−４−ジフルオロメトキシ安息香酸の活性化された誘導体（２）に対する４−アミノ−３，５−ジクロロピリジンの使用されるアニオン（１）のモル比が少なくとも１．８であり、かつ最大で２．７である、請求項１から３までのいずれか１項記載の方法。
【請求項５】
３−シクロプロピルメトキシ−４−ジフルオロメトキシ安息香酸の活性化された誘導体（２）に対する４−アミノ−３，５−ジクロロピリジンの使用されるアニオン（１）のモル比が少なくとも２であり、かつ最大で２．５である、請求項１から３までのいずれか１項記載の方法。
【請求項６】
３−シクロプロピルメトキシ−４−ジフルオロメトキシ安息香酸の活性化された誘導体（２）に対する４−アミノ−３，５−ジクロロピリジンの使用されるアニオン（１）のモル比が２．２である、請求項１から３までのいずれか１項記載の方法。
【請求項７】
４−アミノ−３，５−ジクロロピリジンのアニオン（１）と、３−シクロプロピルメトキシ−４−ジフルオロメトキシ安息香酸の活性化された誘導体（２）との反応を、ジクロロメタン、トルエン、キシレン、ジメチルホルムアミドまたはＮ−メチルピロリドンの群から選択される溶剤中で実施する、請求項１から６までのいずれか１項記載の方法。
【請求項８】
４−アミノ−３，５−ジクロロピリジンのアニオン（１）と、３−シクロプロピルメトキシ−４−ジフルオロメトキシ安息香酸の活性化された誘導体（２）との反応を、ジメチルホルムアミド中で実施する、請求項１から６までのいずれか１項記載の方法。
【請求項９】
４−アミノ−３，５−ジクロロピリジンのアニオン（１）と、３−シクロプロピルメトキシ−４−ジフルオロメトキシ安息香酸の活性化された誘導体（２）との反応を、０℃から、使用される不活性溶剤の沸点までの温度で実施する、請求項１から８までのいずれか１項記載の方法。
【請求項１０】
４−アミノ−３，５−ジクロロピリジンのアニオン（１）と、３−シクロプロピルメトキシ−４−ジフルオロメトキシ安息香酸の活性化された誘導体（２）との反応を、１５℃〜４０℃の温度で実施する、請求項１から８までのいずれか１項記載の方法。
【請求項１１】
４−アミノ−３，５−ジクロロピリジンのアニオン（１）と、３−シクロプロピルメトキシ−４−ジフルオロメトキシ安息香酸の活性化された誘導体（２）との反応を、２０℃〜３０℃の温度で実施する、請求項１から８までのいずれか１項記載の方法。
【請求項１２】
３−シクロプロピルメトキシ−４−ジフルオロメトキシ安息香酸の活性化された誘導体（２）が、３−シクロプロピルメトキシ−４−ジフルオロメトキシベンゾイルクロリドである、請求項１から１１までのいずれか１項記載の方法。
【請求項１３】
３−シクロプロピルメトキシ−４−ジフルオロメトキシ安息香酸の活性化された誘導体（２）が、３−シクロプロピルメトキシ−４−ジフルオロメトキシベンゾイルブロミドである、請求項１から１１までのいずれか１項記載の方法。
【請求項１４】
３−シクロプロピルメトキシ−４−ジフルオロメトキシ安息香酸の活性化された誘導体（２）が、３−シクロプロピルメトキシ−４−ジフルオロメトキシ安息香酸１〜４Ｃ−アルキルエステルである、請求項１から１１までのいずれか１項記載の方法。
【請求項１５】
４−アミノ−３，５−ジクロロピリジンを製造するためにＫＯｔＢｕ、ＮａＯｔＢｕおよびＬｉＯｔＢｕの群から選択される強塩基を使用する、請求項１から１４までのいずれか１項記載の方法。
【請求項１６】
４−アミノ−３，５−ジクロロピリジンのアニオン（１）を製造するためにＫＯｔＢｕを使用する、請求項１５記載の方法。
【請求項１７】
方法から得られる生成物をイソプロパノールと水とからなる混合物（イソプロパノール／水の比は８５：１５〜１００：０体積％）中で再結晶させる、請求項１から１６までのいずれか１項記載の方法。
【請求項１８】
イソプロパノール／水の比が９０：１０〜９５：５体積％である、請求項１から１６までのいずれか１項記載の方法。
【請求項１９】
請求項１から１８までのいずれか１項記載の方法により製造されるロフルミラスト。
【請求項２０】
純度が９９質量％以上である、請求項１から１８までのいずれか１項記載の方法により製造されるロフルミラスト。
【請求項２１】
純度が９９．８質量％以上である、請求項１から１８までのいずれか１項記載の方法により製造されるロフルミラスト。
【請求項２２】
副生成物であるＮ−（３，５−ジクロロピリド−４−イル）−３−シクロプロピルメトキシ−４−ヒドロキシベンズアミドを０．１質量％未満含有する、請求項１から１８までのいずれか１項記載の方法により製造されるロフルミラスト。
【請求項２３】
病気の治療において使用するための、請求項１９から２２までのいずれか１項記載により製造されるロフルミラスト。
【請求項２４】
通常の医薬品添加剤および／または付形剤と一緒に、請求項１９から２２までのいずれか１項記載により製造されるロフルミラストを含有する急性または慢性の気道疾患、皮膚疾患または関節疾患を治療するための医薬組成物。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
空気冷却システムに接続する吸気口と排気口とを備えた、患者を覆うためのエアテントと、取り外し可能な導管のためにエアテントに配置した少なくとも１つの開口部とからなる、正常の体温以下に患者を冷却する患者冷却装置であって、上記空気冷却システムが上記エアテント内で空気を再循環させてエネルギーを節約し、上記開口部が柔軟な材質で導管の周囲で堅く締めることが可能なスリーブからなり、上記スリーブをねじることによって上記導管に対して放射状に折りたたむことができることを特徴とする患者冷却装置。
【請求項２】
導管がない場合には、上記開口部を完全に閉じるのに充分なほどきつく上記スリーブをねじることできる請求項１記載の患者冷却装置。
【請求項３】
上記スリーブの外縁を補強するための、弾力性材料からなるリングを有する請求項１または２記載の患者冷却装置。
【請求項４】
上記スリーブの外縁周囲のフックまたはループ材の付属部品と、上記エアテント表面上でそれに対応する上記スリーブ基部周囲に位置するループまたはフック材とを有し、上記スリーブをねじることにより上記導管周囲で上記スリーブが締められたとき、上記外縁の上記フックまたはループ材の付属部品が、それに対応する上記スリーブ基部のループまたはフック材に対して押圧され、上記スリーブを上記導管周囲の位置に固定する請求項１〜３のいずれか一項に記載の患者冷却装置。
【請求項５】
上記エアテントが柔軟性のある繊維からなる複数のパネルからなり、上記スリーブには切れ目があり、上記パネル上で上記スリーブの上記切れ目と上記パネル端部との間に形成されたスリットと共に、上記スリーブが上記パネルの１つに取り付けられ、上記導管を上記スリーブに導入しやすくする請求項１〜４のいずれか一項に記載の患者冷却装置。
【請求項６】
空気冷却システムに接続する吸気口と排気口とを備えた、患者を覆うためのエアテントからなる、正常の体温以下に患者を冷却する患者冷却装置であって、上記空気冷却システムが上記エアテントに空気を送る内部通路と、空気を上記エアテント外に送り出す外側同軸通路を備えた同軸ホースを通して空気を再循環させて、エネルギーを節約することを特徴とする患者冷却装置。
【請求項７】
交互に集合的に配置されて患者を支える面をなし、個々に拡張できる複数セットのエアバッグと、上記エアテント内で空気を再循環させてエネルギーを節約する空気冷却システムに接続する吸気口と排気口とを備えた、患者を覆うためのエアテントと、上記エアバッグと液状連通している高圧空気源とからなる、正常の体温以下に患者を冷却する患者冷却装置であって、上記高圧空気源が交互配置された複数セットのエアバッグを交互に膨張させることができ、患者の体の部位を定期的に圧力から解放することを特徴とする患者冷却装置。
【請求項８】
上記エアバッグが比較的低圧な低温の空気で加圧され、患者を冷却するが比較的サポートが弱くなるのと、比較的高圧の空気で加圧され、患者を充分にサポートするが比較的冷却効果が弱くなるのとで、加圧可能な患者冷却装置であって、さらに、上記エアバッグと上記空気冷却システムとの間に液体連通を有する請求項７記載の患者冷却装置。
【請求項９】
上記エアテント内で空気を再循環させてエネルギーを節約する空気冷却システムに接続する吸気口と排気口とを備えた、患者を覆うためのエアテントと、集合的に患者を支える面をなす複数のエアバッグと、上記エアバッグと液状連通している高圧空気源と、上記エアバッグが比較的低圧な低温の空気で加圧され、患者を冷却するが比較的サポートが弱くなるのと、比較的高圧の空気で加圧され、患者を充分にサポートするが比較的冷却効果が弱くなるのとで、加圧可能である上記エアバッグと、上記空気冷却システムとの間の液体連通とからなる、正常の体温以下に患者を冷却することを特徴とする患者冷却装置。
【請求項１０】
上記複数のエアバッグが、少なくとも２セットのエアバッグからなり、交互配置されたエアバッグの各セットが個々に膨張可能で、上記２セットのうち１セットが、交互に、比較的低圧な低温の空気で加圧されるか、比較的高圧な暖かい空気で加圧され、上記２セットのうち残る１セットが、交互に、比較的高圧な暖かい空気で加圧されるか、比較的低圧な低温の空気で加圧されて、患者を冷却することもでき、患者の体の部位を定期的に圧力から解放することもできる請求項９記載の患者冷却装置。
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
覚醒時活動中、呼吸通路中の空気流の抵抗を減少させ、睡眠中における閉塞性睡眠時無呼吸の治療のためのいびき防止器具を提供すると共に下顎骨整復を行なう器具であって、  （ａ）下顎に取付け可能な下区分と、
（ｂ）上歯と唇との間に延びる上区分と、
（ｃ）前記下区分と前記上区分を接合する連結装置と、
（ｄ）唇の下で上顎骨の前庭に嵌まり込み、鼻唇組織を引き伸ばして鼻壁を引き伸ばすと共に該鼻壁を強化し、鼻腔内の容積を増大させ、それにより空気流に対する抵抗を減少させる口内鼻拡張器となる構造と、
（ｅ）鼻唇組織を引き伸ばすために前記構造を前記上区分に固定する手段と、
（ｆ）前記下区分に対する前記上区分の相対位置を調整する手段とを有する、
器具。
【手続補正書】
【提出日】平成19年1月16日(2007.1.16)
【手続補正１】
【補正対象書類名】特許請求の範囲
【補正対象項目名】全文
【補正方法】変更
【補正の内容】
【特許請求の範囲】
【請求項１】
空気源と呼吸器との間の空気流路に配置された空気流調節装置を有するタイプの改良型呼吸保護回路装置であって、
前記空気流調節装置の上流の前記空気流路に配置され、前記空気流路を前記呼吸器に通じる第１の下流流路と第２の下流流路とに分割する空気流スプリッタと、
前記第２の下流流路に配置された両方向弁と、を含み、前記両方向弁が、通過する過剰な下流への空気流を防止するとともに通過する上流への空気流を防止する改良型装置。
【請求項２】
前記両方向弁が、
前記第２の下流流路に半径方向に配置されたＯリングと、
前記Ｏリングの下流で前記第２の下流流路に半径方向に配置された弁座と、
前記Ｏリングと前記弁座との間の、第１の位置と、第２の位置と、第３の位置との間で移動可能な頭部を有する弁ピストンと、
前記弁ピストンの前記頭部を前記第１の位置に向けて押し付けるように位置合わせされた弁ばねと、を含む、請求項１に記載の改良型装置。
【請求項３】
呼吸器と副空気機器とを空気供給ラインに接続する空気調節装置を介する空気流を調節する方法であって、
空気を供給空気圧で前記空気供給ラインから前記空気調節装置に供給するステップと、
前記空気供給ラインと前記副空気機器との間に可動空気流障壁を配置するステップと、
前記空気流障壁への上流力が前記空気流障壁への下流力以上で、気流が妨げられる前記第１および第２の力間の所定力差未満のとき、空気が前記空気供給ラインから前記副空気機器に流れるようにするステップと、
空気が前記副空気機器から前記呼吸器へ向かって流れないようにするステップと、を含み、
前記上流力が前記供給空気圧により規定されるとともに、前記下流力が副空気機器空気圧により部分的に規定される方法。
【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
心臓の機能を調整するようなやりかたで、心臓組織内の筋肉細胞の遺伝子活性を調整するために、非興奮性信号及び興奮性信号の少なくとも１つを送出するように構成された装置。
【請求項２】
非興奮性収縮能変調成分を含む心収縮能変調信号を心臓組織に送出する、請求項１に記載の装置であって、前記信号が、
心臓組織内のＢＮＰの発現レベルを調整すること、
心臓組織内のＡＮＰの発現レベルを調整すること、
心臓組織内のαミオシン重鎖（ＭＨＣ）の発現レベルを調整すること、
心不全の治療のために、心臓組織内の塩基性線維芽細胞成長因子（ｂＦＧＦ）発現レベルを調整すること、
のうちの１つを行うことができる、装置。
【請求項３】
心臓機能を改善するように、長期間にわたり発現を調整するとともに、前記心臓の細胞機能の急速な改善する電場を用いて、心臓血管系機能に作用する遺伝子の心臓組織における発現を電気的に調整する信号を送出するように構成された、請求項１ないし２に記載の装置。
【請求項４】
遺伝子発現の調整が、急速に心臓機能を調整する、請求項１ないし２に記載の装置。
【請求項５】
前記調整が、心臓機能の改善をすることとなる、請求項４に記載の装置。
【請求項６】
鬱血性心不全を治療するように構成された、請求項５に記載の装置。
【請求項７】
信号が、興奮性の成分を含む、請求項１ないし２に記載の装置。
【請求項８】
信号が、非興奮性の成分を含む、請求項３に記載の装置。
【請求項９】
信号が、心臓機能を改善するようにＢＮＰ及びＡＮＰの両方のｍＲＮＡ発現を調整する、請求項１ないし２に記載の装置。
【請求項１０】
信号が、
心臓機能を改善するように、ｂＦＧＦのｍＲＮＡ発現を調整すること、
心臓機能を改善するように、αミオシン重鎖（ＭＨＣ）のｍＲＮＡ発現を調整すること、    
のうちの１つを行う、請求項１に記載の装置。
【請求項１１】
前記心臓の機能に強く作用するように、前記信号が、心臓に印加される、請求項１ないし２に記載の装置であって、その機能において遺伝子発現への影響を考慮することに適合することを特徴とする装置。
【請求項１２】
前記装置が植込み型である、請求項１１に記載の装置。
【請求項１３】
前記装置が、
以前の非興奮性場の印加による遺伝子発現効果の指標に応じて、非興奮性場の印加を調節する、フィードバック制御ループ、
電気信号の心臓への印加が心臓における遺伝子発現に及ぼす効果に応答して、そのような心臓への電気信号印加の調節を停止、又は、調節する監視装置、
のうちの１つを含む、請求項１１に記載の装置。
【請求項１４】
患者に信号を印加するのに適合した少なくとも１つの信号生成器を備える、患者の治療のための装置であって、前記信号が、前記患者における、組織に対する鋭い効果および分子的実体の活性に対する効果の両方を有する、装置。
【請求項１５】
所望の活性が得られた場合に、前記治療を中断するように構成された、請求項１又は請求項１４に記載の装置。
【請求項１６】
前記効果は、同時に少なくとも２つの分子的実体に対してである、請求項１４に記載の装置。
【請求項１７】
前記２つの分子的実体が、異なる活性化経路に属する、請求項１６に記載の装置。
【請求項１８】
前記信号生成器が、電界を体の一部分に印加する、請求項１４、１６、１７のいずれかに記載の装置。
【請求項１９】
前記信号の少なくとも１つのパラメータを調整するのに適合した回路を備える、請求項１４、１６、１７のいずれかに記載の装置。
【請求項２０】
ハウスキーピング遺伝子及び非ハウスキーピング遺伝子のうちの少なくとも１つの遺伝子発現への悪影響を判断するのに適合した回路を備える、請求項１４、１６、１７のいずれかに記載の装置。
【請求項２１】
前記活性が、ｍＲＮＡ発現あるいは、タンパク質発現のうちの少なくとも１つを含む、請求項１４に記載の装置。
【請求項２２】
分子的実体の活性への前記効果が、生化学的物質の血液への分泌を含む、請求項１４、１６、１７のいずれかに記載の装置。
【請求項２３】
前記活性をベースライン活性に比較することを含む評価を行うのに適合した回路を備える、請求項１４、１６、１７のいずれかに記載の装置。
【請求項２４】
前記鋭い効果の評価を行うのに適合した回路を備える、請求項１４、１６、１７のいずれかに記載の装置。
【請求項２５】
前記分子的実態の活性に対する効果の評価を行うのに適合した回路を備える、請求項１４、１６、１７のいずれかに記載の装置。
【請求項２６】
前記活性のハウスキーピング遺伝子との比較を含む評価を行うのに適合した回路を備える、請求項１４、１６、１７のいずれかに記載の装置。
【請求項２７】
心臓組織における所望の目標遺伝子発現プロフィールの少なくとも１つの標示の入力のための、入力モジュールと、
所望の目標遺伝子発現プロフィールに従って、遺伝子発現を調節するために、心臓組織に非興奮性信号を印加するように構成された信号源と、
を備える、心臓関連疾患を持つ患者の治療のための装置
【請求項２８】
（ａ）治療法の少なくとも一部分を適用するメカニズムと、
（ｂ）所望の目標遺伝子活性が達成された場合に、前記メカニズムを中断させることができるコントローラと、
を備える、心臓機能障害の治療のための装置。
【請求項２９】
心臓組織における所望の目標遺伝子発現プロフィールを判断するように構成された回路と、
目標遺伝子発現を調節するために、心臓組織に非興奮性信号を印加する信号源と、
所望の目標遺伝子発現プロフィールに従って、信号源を操作するように構成されたコントローラと、
を備える、装置。
【請求項３０】
（ａ）同時に少なくとも２つの分子的実体と関連する治療法による活性を判断するように構成された測定コンポーネントと、
（ｂ）前記判断された活性に基づいて前記治療法を評価するように構成された評価回路と、
を備える、治療法評価のための装置。
【請求項３１】
（ａ）少なくとも１つの分子的実体に係る情報を提供する少なくとも１つの入力と、
（ｂ）前記情報に基づいて治療法の効果を評価する回路と、
（ｃ）前記評価に対応して治療信号を生成する出力と、
を備える、治療法評価のための装置。
【請求項３２】
少なくとも２つの遺伝子に関連して、少なくとも１つの分子的実体のレベルまで、検出するように構成された少なくとも１つのバイオ・センサを備える、診断システム。
【請求項３３】
前記少なくとも１つのバイオ・センサが、少なくとも２つの別々の経路において遺伝子の活性を検出するのに適合したバイオ・チップを備える、請求項３２に記載のシステム。
【請求項３４】
（ａ）心臓組織に関する少なくとも１つの分子的実体に係る情報を提供する少なくとも１つの入力と、
（ｂ）疾患情報及び治療法標示の少なくとも１つを判断するために前記情報を評価する回路と、  
（ｃ）前記評価の標示する信号を生成する出力と、
を備える、心臓評価のための装置。
【請求項３５】
長期間にわたって心臓血管の機能に影響し、前記心臓の細胞機能を急速に改善する、心臓組織の少なくとも１つの遺伝子の発現を調整するための電気信号を生成することができる電気信号源を備える、心臓機能を改善するための装置。
【手続補正書】
【提出日】平成19年3月12日(2007.3.12)
【手続補正１】
【補正対象書類名】特許請求の範囲
【補正対象項目名】全文
【補正方法】変更
【補正の内容】
【特許請求の範囲】
【請求項１】
骨折及び／又は遠位橈骨及び手首関節の他の欠陥を修復するための骨固定具であって、
中手首骨又は他の手首骨に取り付けられるように形状構成された少なくとも１つの遠位取付要素；
橈骨又は尺骨に取り付けられるように形状構成された少なくとも１つの近位取付要素；
前記遠位取付要素を自身に固定するように形状構成された遠位部材；
前記近位取付要素を自身に固定するように形状構成された近位部材；及び
前記近位部材と前記遠位部材を連結するように形状構成され、かつ超弾性屈曲可能な部分を含むカップリング；を備える骨固定具。
【請求項２】
前記骨固定具は前記手首関節を動的に固定することができる、請求項１に記載の骨固定具。
【請求項３】
前記超弾性部分は超弾性金属を含む、請求項１または請求項２に記載の骨固定具。
【請求項４】
前記超弾性部分は超弾性金属を含み、前記ワイヤーは前記遠位部材の遠位取付要素に対して実質的に直交する、請求項１または請求項２に記載の骨固定具。
【請求項５】
前記遠位部材は前記超弾性部分に沿った選択的併進を可能にするように形状構成される、請求項１から請求項４までのいずれか１項に記載の骨固定具。
【請求項６】
前記骨固定具は、前記遠位部材が固定される際に前記手首関節の静的固定を与えるように形状構成される、請求項１から請求項５までのいずれか１項に記載の骨固定具。
【請求項７】
前記骨固定具は、前記遠位部材が実質的に固定されない際に前記手首関節の動的固定を与えるように形状構成される、請求項１から請求項５までのいずれか１項に記載の骨固定具。
【請求項８】
前記カップリングは１つ以上の硬化要素を含み、前記硬化要素は前記超弾性部分の屈曲を調節可能に制限する、請求項１から請求項７までのいずれか１項に記載の骨固定具。
【請求項９】
前記硬化要素は前記遠位要素の屈曲及び回転の少なくとも１つを選択的に制限するように形状構成されたカップリング・ブラケットを含む、請求項８に記載の骨固定具。
【請求項１０】
前記超弾性部分は超弾性ワイヤーを含み、前記硬化要素は前記ワイヤーに配置された複数のスペーサーを含み、その結果、前記スペーサーの圧縮は前記ワイヤーの屈曲を制限する、請求項８または請求項９に記載の骨固定具。
【請求項１１】
前記硬化要素は前記遠位部材の前記超弾性部分に対する並進を調節可能に制限するように形状構成された並進錠止部を含む、請求項８から請求項１０までのいずれか１項に記載の骨固定具。
【請求項１２】
前記超弾性部分はニッケル・チタニウム合金を含む、請求項１から請求項１１までのいずれか１項に記載の骨固定具。
【請求項１３】
前記カップリングは前記近位部材に調節可能に固定され、その結果、前記近位部材と前記遠位部材との間の角度及び距離の一方又は両方を調整し得る、請求項１から請求項１２までのいずれか１項に記載の骨固定具。
【請求項１４】
前記カップリングは、前記近位部材と前記遠位部材との間の対頂角及び側方角が独立して調節し得るように、前記近位部材に調節可能に固定される、請求項１３に記載の骨固定具。
【請求項１５】
前記長さ、配向、及び前記固定具の柔軟性の少なくとも１つを設定する支援をするように形状構成された少なくとも１つの参照マーキングを更に備える、請求項１から請求項１４までのいずれか１項に記載の骨固定具。
【請求項１６】
前記カップリングはボール及びソケット・ジョイントを含む、請求項１から請求項１５までのいずれか１項に記載の骨固定具。
【請求項１７】
前記遠位部材の前記近位部材に対する並進及び屈曲が独立して調整可能である、請求項１から請求項１６までのいずれか１項に記載の骨固定具。
【請求項１８】
前記カップリング・ブラケットは独立して調節可能なブラケット・アームを含むカップリング・ブラケットを備える、請求項１から請求項１７までのいずれか１項に記載の固定具。
【請求項１９】
骨折及び／又は遠位橈骨及び手首関節の他の転位を修復するために骨固定具を取り付けるためのキットであって、請求項１から請求項１８までのいずれか１項に記載の骨固定具を備えるキット。
【請求項２０】
前記中間骨に前記遠位取付要素を配置するための遠位テンプレートと、
前記橈骨に前記近位取付要素を配置するための近位テンプレートと、の中の少なくとも１つを更に備える、請求項１９に記載のキット。
【請求項２１】
前記遠位取付部材及び前記近位取付部材は自己穿孔ピン又は自己タッピングピンを備える、請求項１９または請求項２０に記載のキット。
【請求項２２】
前記遠位部材の前記近位部材に対する許容された前記屈曲、回転、及び並進の１つ以上を調節するための１つ以上のツールを更に備える、請求項１９から請求項２１までのいずれか１項に記載のキット。
【手続補正書】
【提出日】平成19年3月2日(2007.3.2)
【手続補正１】
【補正対象書類名】特許請求の範囲
【補正対象項目名】請求項１
【補正方法】変更
【補正の内容】
【請求項１】
以下を含む布：
生体適合性であり且つ非ランダムに構成されたセリシン抽出フィブロイン繊維を1つまたは複数含むヤーンであって、該フィブロイン繊維の周囲で細胞の増殖を促進し且つ生分解性であるヤーン。
【手続補正２】
【補正対象書類名】特許請求の範囲
【補正対象項目名】請求項３４
【補正方法】変更
【補正の内容】
【請求項３４】
並列させた絹繊維をセリシン抽出後に絡み合わせる段階をさらに含む、請求項32記載の方法。
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
細菌内の炭素または窒素の流れの分布に影響を及ぼすタンパク質をコードする標的遺伝子を最適レベルに発現する細菌を得る方法であって、以下の工程：
（１）前記細菌の染色体に、前記標的遺伝子自身の調節配列の代わりに前記標的遺伝子発現用の調節配列を含むｉｎ ｖｉｔｒｏで構築されたＤＮＡフラグメントのセットを導入する工程、および
（２）所望の表現型を有する細菌を選択する工程
を含む方法。
【請求項２】
前記細菌は、Ｌ−アミノ酸生産細菌である、請求項１に記載の方法。
【請求項３】
前記Ｌ−アミノ酸は、Ｌ−グルタミン酸、Ｌ−グルタミン、Ｌ−プロリン、Ｌ−アルギニン、およびＬ−ロイシンからなる群から選択される、請求項２に記載の方法。
【請求項４】
前記細菌は、核酸生産細菌である、請求項１に記載の方法。
【請求項５】
前記核酸は、イノシン、グアノシンおよびアデノシンからなる群から選択される、請求項４に記載の方法。
【請求項６】
前記ｉｎ ｖｉｔｒｏで構築されたＤＮＡフラグメントのセットは、プロモーター、リボソーム結合部位（ＲＢＳ）およびオペレーターからなる群から選択される１つまたはそれ以上の調節配列を含む、請求項１に記載の方法。
【請求項７】
前記ｉｎ ｖｉｔｒｏで構築されたＤＮＡフラグメントのセットは、無作為化配列を有する調節配列を含む、請求項６に記載の方法。
【請求項８】
前記ｉｎ ｖｉｔｒｏで構築されたＤＮＡフラグメントのセットは、既知の配列および既知の強度を有する調節配列から構成される、請求項６に記載の方法。
【請求項９】
前記細菌は、エシェリヒア属に属する、請求項１に記載の方法。
【請求項１０】
Ｌ−アミノ酸生産に影響を及ぼすタンパク質をコードする遺伝子を最適レベルに発現する
Ｌ−アミノ酸生産細菌であって、請求項１に記載の方法により得られるＬ−アミノ生産細菌。
【請求項１１】
ｓｕｃＡＢ遺伝子のプロモーターの−３５領域の配列が配列番号１に示される配列を含む、請求項１０に記載のＬ−アミノ酸生産細菌。
【請求項１２】
Ｌ−アミノ酸を製造する方法であって、培地中で請求項１０に記載の細菌を培養し、該培地中にＬ−アミノ酸を蓄積させる工程、および前記培地からＬ−アミノ酸を採取する工程を含む方法。
【請求項１３】
前記Ｌ−アミノ酸は、Ｌ−グルタミン酸、Ｌ−グルタミン、Ｌ−プロリン、Ｌ−アルギニン、およびＬ−ロイシンからなる群から選択される、請求項１２に記載の方法。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
単離されたポリヌクレオチドであって、該ポリヌクレオチドは、配列番号５７７〜５７９、配列番号５８９〜６１４、配列番号６７５〜６８５、配列番号６１５、配列番号６１７、配列番号６１９、配列番号６２１、配列番号６２３、配列番号６２５、配列番号６２７、配列番号６２９、配列番号６３１、配列番号６３３、配列番号６３５、配列番号６３７、配列番号６３９、配列番号６４１、配列番号６４３、配列番号６４５、配列番号６４７、配列番号６４９、配列番号６５１、配列番号６５３、配列番号６５５、配列番号６５７、配列番号６５９、配列番号６６１、配列番号６６３、配列番号６６５、配列番号６６７、配列番号６６９、配列番号６７１、配列番号６７３、配列番号６８６、配列番号６８８、配列番号６９２、配列番号６９４、配列番号６９６、配列番号６９８、配列番号７００、配列番号７０２、配列番号７０４、配列番号７０６、配列番号７０８、配列番号７１０、配列番号７１２、配列番号７１４、配列番号７１６、配列番号７１８、配列番号７２０、配列番号７２２、配列番号７２４、配列番号７２６、配列番号７２８、配列番号７３０、配列番号７３２、配列番号７３４、配列番号７３６、配列番号７３８、配列番号７４０、配列番号７４２、配列番号７４４、配列番号７４６、配列番号７４８、配列番号７５０、配列番号７５２、配列番号７５４、配列番号７５６、配列番号７５８、配列番号７６０、配列番号７６２、配列番号７６４、配列番号７６６、配列番号７６８または配列番号７７０のいずれか一つのヌクレオチド配列を含む、ポリヌクレオチド。
【請求項２】
請求項１に示されたヌクレオチド配列セットによってコードされるアミノ酸配列を含む単離されたポリペプチドまたはそのフラグメント。
【請求項３】
単離されたポリペプチドであって、該ポリペプチドは、配列番号６１６、配列番号６１８、配列番号６２０、配列番号６２２、配列番号６２４、配列番号６２６、配列番号６２８、配列番号６２８、配列番号６３０、配列番号６３２、配列番号６３４、配列番号６３６、配列番号６３８、配列番号６４０、配列番号６４２、配列番号６４４、配列番号６４６、配列番号６４８、配列番号６５０、配列番号６５２、配列番号６５４、配列番号６５６、配列番号６５８、配列番号６６０、配列番号６６２、配列番号６６４、配列番号６６６、配列番号６６８、配列番号６７０、配列番号６７２、配列番号６７４、配列番号６８７、配列番号６８９、配列番号６９１、配列番号６９３、配列番号６９５、配列番号６９７、配列番号６９９、配列番号７０１、配列番号７０３、配列番号７０５、配列番号７０７、配列番号７０９、配列番号７１１、配列番号７１３、配列番号７１５、配列番号７１７、配列番号７１９、配列番号７２１、配列番号７２３、配列番号７２５、配列番号７２７、配列番号７２９、配列番号７３１、配列番号７３３、配列番号７３５、配列番号７３７、配列番号７３９、配列番号７４１、配列番号７４３、配列番号７４５、配列番号７４７、配列番号７４９、配列番号７５１、配列番号７５３、配列番号７５５、配列番号７５７、配列番号７５９、配列番号７６１、配列番号７６３、配列番号７６５、配列番号７６７、配列番号７６９または配列番号７７１のいずれか一つのアミノ酸配列を含む、ポリペプチド。
【請求項４】
請求項２または請求項３に記載のポリペプチドおよび薬学的に受容可能なキャリアを含む組成物。
【請求項５】
請求項２もしくは請求項３に記載のポリペプチドまたはそのフラグメントに特異的に結合する抗体。
【請求項６】
請求項５に記載の抗体および薬学的に受容可能なキャリアを含む組成物。
【請求項７】
生物学的サンプル中のＮＴＨｉ細菌を検出するための方法であって、該方法は、
（ａ）請求項１に記載のポリヌクレオチドまたはそのフラグメントと生物学的サンプルとを接触させる工程、および
（ｂ）該サンプル中の該ポリヌクレオチドのハイブリダイゼーションを検出する工程、を包含する、方法。
【請求項８】
生物学的サンプル中のＮＴＨｉ細菌を検出するための方法であって、該方法は、
（ａ）請求項５に記載の抗体と生物学的サンプルとを接触させる工程、および
（ｂ）該サンプル中の該抗体の結合を検出する工程、
を包含する、方法。
【請求項９】
前記生物学的サンプルは、血清、唾液、耳の分泌液、血液、尿、リンパ液、および脳脊髄液からなる群より選択される、請求項７または８に記載の方法。
【請求項１０】
ＮＴＨｉ細菌に対する免疫応答を誘導するための組成物であって、該組成物は、免疫原性的に有効量の請求項２もしくは３に記載のポリペプチドまたはそのフラグメントを含み、該組成物は、ＮＴＨｉ細菌感染の危険にある患者への投与に適している、組成物。
【請求項１１】
請求項２もしくは３に記載のポリペプチドまたはそのフラグメントおよび薬学的に適切なキャリアを含むワクチン。
【請求項１２】
ＮＴＨｉ細菌感染を防止するための組成物であって、該組成物は、ＮＴＨｉ細菌の細胞接着をブロックする請求項２または３に記載のポリペプチドを含み、該組成物は、ＮＴＨｉ細菌感染の危険にある患者への投与に適している、組成物。
【請求項１３】
ＮＴＨｉ細菌感染を防止するための組成物であって、該組成物は、ＮＴＨｉ細菌の細胞接着をブロックする請求項５に記載の抗体を含み、該組成物は、ＮＴＨｉ細菌感染の危険にある患者への投与に適している、組成物。
【請求項１４】
前記ＮＴＨｉ感染は、中耳内である、請求項１３に記載の組成物。
【請求項１５】
ＮＴＨｉ細菌感染を処置または防止するための組成物であって、該組成物は、請求項２もしくは３に記載のポリペプチドの発現または活性を阻害する分子を含む、組成物。
【請求項１６】
請求項１５に記載の組成物であって、前記ＮＴＨｉポリペプチドは、ｈｉｓＢ、ｌｐｐＢ、ｓａｐＡ、ｒｂｓＣ、ｐｕｒｅ、ｒｉｂ、ａｒｃＢ，ｕｘｕＡ、ｌｉｃＣ、ｉｓｐＺ、ｍｕｋＦ、ｇｌｐＲ、ｉｈｆＢ、ｃｓｐＤ、ｌａｖ、ＨＩ１６４７、ＨＩ００９４、ＨＩ１１６３、ＨＩ０６６５、ＨＩ１２９２、ＨＩ１０６４、ＨＩ１３８６、ＨＩ１４６２、ＨＩ１３６９、およびＨＩ１５９８からなる群より選択されるＮＴＨｉ遺伝子によってコードされるアミノ酸を含む、組成物。
【請求項１７】
請求項１５に記載の組成物であって、前記ＮＴＨｉポリペプチドは、配列番号６１６、配列番号６１８、配列番号６２０、配列番号６２２、配列番号６２４、配列番号６２６、配列番号６２８、配列番号６３４、配列番号６３８、配列番号６４２、配列番号６４４、配列番号６４６、配列番号６５０、配列番号６５２、配列番号６５６、配列番号６５８、配列番号６６０、配列番号６６２、配列番号６６４、配列番号６６６、配列番号６６８、配列番号６７０、配列番号６７２および配列番号６７４からなる群より選択されるアミノ酸配列を含む、組成物。
【請求項１８】
前記分子は、アンチセンスオリゴヌクレオチドである、請求項１５に記載の組成物。
【請求項１９】
前記分子は、抗体である、請求項１５に記載の組成物。
【請求項２０】
前記分子は、低分子である、請求項１５に記載の組成物。
【請求項２１】
前記ＮＴＨｉ感染は、中耳内である、請求項１５に記載の組成物。
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
硬質パンニングされた糖衣掛けペレット状菓子を着色する方法であって、
少なくとも１つの硬質パンニングされた糖衣掛けペレット状菓子をインクジェットヘッドに機能的に関連して配置し、
前記硬質パンニングされた糖衣掛けペレット状菓子に着色皮膜の少なくとも一部を、該硬質パンニングされた糖衣掛けペレット状菓子の表面に少なくとも一種類の食用インクをインクジェット印刷することによって塗布し、
前記着色皮膜を乾燥させる、
各工程を有してなる方法。
【請求項２】
前記塗布工程が、
前記硬質パンニングされた糖衣掛けペレット状菓子の第１の側に食用インクをインクジェット印刷し、
前記硬質パンニングされた糖衣掛けペレット状菓子を裏返し、
前記硬質パンニングされた糖衣掛けペレット状菓子の第２の側に食用インクをインクジェット印刷する、
各工程を含み、
前記硬質パンニングされた糖衣掛けペレット状菓子の第１の側に塗布された食用インクが、前記第２の側に塗布された食用インクと同じであっても異なっていてもよいことを特徴とする請求項１記載の方法。
【請求項３】
前記硬質パンニングされた糖衣掛けペレット状菓子の第１と第２の側が、一種類以上の食用インクにより実質的に被覆されていることを特徴とする請求項２記載の方法。
【請求項４】
前記糖衣掛けペレット状菓子の表面が、実質的に未着色の糖衣掛け表面であることを特徴とする請求項１記載の方法。
【請求項５】
前記硬質パンニングされた糖衣掛けペレット状菓子の表面の一部が被覆されないまま残されてイメージを形成していることを特徴とする請求項１記載の方法。
【請求項６】
塗布された前記着色皮膜が、前記硬質パンニングされた糖衣掛けペレット状菓子の表面を実質的に被覆していることを特徴とする請求項１記載の方法。
【請求項７】
前記着色皮膜がベース着色皮膜であり、該ベース着色皮膜上に少なくとも一種類の他の食用インクをインクジェット印刷する工程をさらに含むことを特徴とする請求項１記載の方法。
【請求項８】
着色済みの硬質パンニングされた糖衣掛けペレット状菓子を調製する方法であって、
（ａ）  ペレット状菓子の芯をパンニングして、硬質パンニングされた糖衣掛けペレット状菓子を形成し、
（ｂ）  前記硬質パンニングされた糖衣掛けペレット状菓子をインクジェット印刷ステーションに移送し、
（ｃ）  前記硬質パンニングされた糖衣掛けペレット状菓子に着色皮膜の少なくとも一部を、該糖衣掛けペレット状菓子の表面に少なくとも一種類の食用インクをインクジェット印刷することによって塗布し、
（ｄ）  前記着色皮膜を乾燥させる、
各工程を有してなる方法。
【請求項９】
前記移送工程が、前記硬質パンニングされた糖衣掛けペレット状菓子を保持する形状の搬送ポケット内で該硬質パンニングされた糖衣掛けペレット状菓子を搬送する工程を含むことを特徴とする請求項８記載の方法。
【請求項１０】
前記塗布工程が、
前記硬質パンニングされた糖衣掛けペレット状菓子の第１の側に食用インクをインクジェット印刷し、
前記硬質パンニングされた糖衣掛けペレット状菓子を裏返し、
前記硬質パンニングされた糖衣掛けペレット状菓子の第２の側に食用インクをインクジェット印刷する、
各工程を含み、
前記硬質パンニングされた糖衣掛けペレット状菓子の第１の側に塗布された食用インクが、前記第２の側に塗布された食用インクと同じであっても異なっていてもよいことを特徴とする請求項８記載の方法。
【請求項１１】
前記硬質パンニングされた糖衣掛けペレット状菓子の第１と第２の側が、一種類以上の食用インクにより実質的に被覆されていることを特徴とする請求項１０記載の方法。
【請求項１２】
前記糖衣掛けペレット状菓子の表面が、実質的に未着色の糖衣掛け表面であることを特徴とする請求項８記載の方法。
【請求項１３】
前記硬質パンニングされた糖衣掛けペレット状菓子の表面の一部が被覆されないまま残されてイメージを形成していることを特徴とする請求項１２記載の方法。
【請求項１４】
前記着色皮膜がベース着色皮膜であり、該ベース着色皮膜上に少なくとも一種類の他の食用インクをインクジェット印刷する工程をさらに含むことを特徴とする請求項８記載の方法。
【請求項１５】
少なくとも１つの硬質パンニングされた糖衣掛けペレット状菓子をインクジェットヘッドに機能的に関連して配置し、
前記硬質パンニングされた糖衣掛けペレット状菓子に着色皮膜の少なくとも一部を、該硬質パンニングされた糖衣掛けペレット状菓子の表面に少なくとも一種類の食用インクをインクジェット印刷することによって塗布し、
前記着色皮膜を乾燥させる、
各工程を有してなる方法によって製造された、着色済み硬質パンニングされた糖衣掛けペレット状菓子。
【請求項１６】
第１と第２の側を有し、前記第１の側が、前記第２の側の色と異なる色を有することを特徴とする請求項１５記載の着色済み硬質パンニングされた糖衣掛けペレット状菓子。
【請求項１７】
前記糖衣掛けペレット状菓子の表面が実質的に未着色の糖衣掛け表面であることを特徴とする請求項１５記載の着色済み硬質パンニングされた糖衣掛けペレット状菓子。
【請求項１８】
着色済み硬質パンニングされた糖衣掛けペレット状菓子であって、
菓子の芯、
前記菓子の芯を覆い、外面を有する硬質パンニングされた糖衣、および
前記糖衣の表面の少なくとも一部の上にあるインクジェット用インクコーティングにより形成された着色皮膜、
を有してなる着色済み硬質パンニングされた糖衣掛けペレット状菓子。
【請求項１９】
前記硬質パンニングされた糖衣の表面が実質的に未着色の糖衣掛け表面であることを特徴とする請求項１８記載の着色済み硬質パンニングされた糖衣掛けペレット状菓子。
【請求項２０】
前記外面が前記インクコーティングにより完全に被覆されていることを特徴とする請求項１８記載の着色済み硬質パンニングされた糖衣掛けペレット状菓子。
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
(a) 硬化パーム油グリセリドと(b) セチルリン酸カリウムを含むO/W乳化剤であって、セチルリン酸カリウムの割合が該乳化剤の総質量基準で40〜80質量％の範囲であることを特徴とするO/W乳化剤。
【請求項２】
前記乳化剤が、ポリエチレングリコール(PEG)を含有せず、および/または他のグリコールを含有せず、および/またはパラフィンを含有せず、および/またはイソパラフィンを含有しない、請求項１記載のO/W乳化剤。
【請求項３】
(a) 硬化パーム油グリセリド、(b) セチルリン酸カリウム、(c) セチルアルコール、および(d) 水を含み、セチルリン酸カリウムの割合が前記乳化剤の総質量基準で40〜80質量％、好ましくは50〜70質量％の範囲である、請求項１または２のいずれか１項記載のO/W乳化剤。
【請求項４】
(a) 30〜50質量％の硬化パーム油グリセリド、(b) 40〜50質量％のセチルリン酸カリウム、(c) 8〜15質量％のセチルアルコール、(d) 4〜8質量％の水、および(e) 0〜18質量％の更なる添加剤を含み、前記質量パーセントが前記O/W乳化剤の総質量基準である、請求項１〜３のいずれか１項記載のO/W乳化剤。
【請求項５】
前記O/W乳化剤がトローチ形で存在する、請求項１〜４のいずれか１項記載のO/W乳化剤。
【請求項６】
前記乳化剤が、下記の条件の１つ、複数または全部を満たす、請求項１〜５のいずれか１項記載のO/W乳化剤：
‐中和水に最終溶液基準で10質量％の濃度で溶解させた後に、pHが5.0〜6.5の範囲にあること；
‐1時間の鹸化時間での鹸化価が、125.0〜155.0の範囲にあること(試験方法211)；
‐溶媒系ジエチルエーテル：エタノール：水 1：1：1 (容量/容量/容量)の使用による酸価が、50.0〜80.0 mg KOH/gの範囲にあること(試験方法228)。
【請求項７】
‐水相；
‐該水相中に分散させた油相；および、
‐0.25〜15質量％の請求項１〜６のいずれか１項記載のO/W乳化剤；
を含むO/Wエマルジョンであって、前記質量パーセントがO/Wエマルジョンの総質量基準であるO/Wエマルジョン。
【請求項８】
‐0.1〜10質量％の安定剤；および/または、
‐1〜10質量％の共乳化剤；
も含み、前記質量パーセントがO/Wエマルジョンの総質量基準である、請求項７記載のO/Wエマルジョン。
【請求項９】
前記エマルジョンのpHを、3〜11の値に調整する、請求項７または８記載のO/Wエマルジョン。
【請求項１０】
‐分散固形物；および/または、
‐UV-Aおよび/またはUV-Bフィルター；および/または、
‐酸化防止剤；および/または、
‐香油；および/または、
‐他の補助物質；
も含む、請求項７〜９のいずれか１項記載のO/Wエマルジョン。
【請求項１１】
下記の各工程を含むことを特徴とする、請求項７〜１０のいずれか１項記載のO/Wエマルジョンの製造方法：
‐水と油相を調製する工程；
‐請求項１〜６のいずれか１項記載の乳化剤を調製する工程；
‐前記乳化剤を水および/または油相に混入する工程；
‐前記乳化剤の混入後、水と油相を、O/Wエマルジョンが形成されるまで混合する工程。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
特に医薬粉体を製造するためのみではない、粉体を生成する粉体生成装置であって、
液体供給手段と、
放出ノズルと周囲に接地手段を備えた液滴発生手段と、
リアクタとを含んでなり、
前記液滴発生手段の前記放出ノズルが、３ミリメーター以下であることを特徴とする粉体生成装置。
【請求項２】
前記放出ノズルが、１ミリメーター以下の内径を有する請求項１記載の粉体生成。
【請求項３】
前記放出手段と前記接地手段の間に＋２．２ｋＶの電位差がある請求項１または２に記載の粉体生成手段。
【請求項４】
前記リアクタが低圧リアクタである請求項１〜３のいずれかひとつに記載の粉体生成手段。
【請求項５】
前記リアクタが非対称的なチャンバーである請求項１〜４のいずれかひとつに記載の粉体生成手段。
【請求項６】
請求項１〜５のいずれかひとつに記載の粉体生成手段を利用する、粉体を生成する方法。
【手続補正２】
【補正対象書類名】明細書
【補正対象項目名】００１８
【補正方法】変更
【補正の内容】
【００１８】
接地手段(８)(図２参照)は、様々な形を有することができるが、好ましくは、リングまたはシリンダーの形である。本発明の好ましい形態では、図解しているように、接地手段は、ノズルの出口と同じ高さの位置のシリンダーから構成される。接地手段は、好ましくは、金属材料から作られ、特に好ましくは、それは機械加工されるが、それほど好ましいというわけではないが、型に入れて作られる。プラスチック材料または好ましくはセラミックスのような絶縁材料は、好ましくは、液体放出ノズルと接地手段(１２)(図３参照)の間の部分(volume)を占める。多くの場合、空気または別のガスまたはガス混合物を、電気的絶縁を十分提供するのに使用することができる。この材料の目的は、接地手段を液体放出ノズルから電気的に絶縁することと、接地手段内の放出ノズルを支持することの両方である。この放出ノズルは、接地手段の中央に位置するのがよい。